(57)【要約】      （修正有）【課題】平坦ではない表面において異なる方法で曲がる足に適応する靴底を提供する。【解決手段】多様な直線又はアーチ状のラインを形成するよう計画的に組み込まれた又は切れ目を入れられた靴のミッドソール。直線のラインは、外側のアーチ側の先端部間の幅方向に組み込まれる。アーチ状のラインは、つま先先端部の多様な位置に組み込まれ、少なくとも１つは、踵部の中心点を通って延在する。後者のアーチ状のラインは、いくつかの位置において外側及びその他の位置においてアーチ側の湾曲と平行な湾曲を有する。さらに交差ラインは、踵部の中心点にて交差する。【選択図】図４
2018118082.tif 000002
【特許請求の範囲】
【請求項１】
履物用のミッドソールであって、前記ミッドソールが、
つま先部、中央部、及び踵部を有するミッドソールの本体と、
第１表面及び前記第１表面とは反対側の第２表面であって、前記ミッドソールの本体が前記第１表面と前記第２表面との間で延在している、該第１表面及び第２表面と、並びに
前記第１表面から前記ミッドソールの本体内まで及んでいる複数のサイプであり、前記複数のサイプは、
前記つま先部から前記踵部まで縦方向に延在する第１アーチ状サイプ、並びに
第１対角線状サイプ及び第２対角線状サイプであり、前記第１対角線状サイプが前記第２対角線状サイプに交差するものである、該第１対角線状サイプ及び第２対角線状サイプ
を有し、
前記第１アーチ状サイプは、前記第１対角線状サイプが前記第２対角線状サイプに交差する位置で前記第１対角線状サイプ及び第２対角線状サイプに交差するものである、
該複数のサイプと、
を備える、ミッドソール。
【請求項２】
前記複数のサイプは、前記ミッドソールを横切って横方向に延在する少なくとも第１の横サイプを有する、請求項１に記載のミッドソール。
【請求項３】
前記第１アーチ状サイプは、前記第１対角線状サイプが前記第２対角線状サイプに交差する位置で、前記第１横サイプに交差する、請求項２に記載のミッドソール。
【請求項４】
前記複数のサイプは、前記ミッドソールに沿って縦方向に延在する複数のアーチ状サイプを含み、前記第１アーチ状サイプのみが前記第１対角線状サイプ及び第２対角線状サイプに交差する、請求項１に記載のミッドソール。
【請求項５】
前記複数のサイプは互いに平行である、請求項４に記載のミッドソール。 
【請求項６】
前記複数のサイプは、長さが前記第１アーチ状サイプより短い１つ又はそれ以上の付加的なアーチ状サイプを有する、請求項４に記載のミッドソール。
【請求項７】
前記第１アーチ状サイプの少なくとも一部分は、前記１つ又はそれ以上の付加的なアーチ状サイプに対して側方に配置されている、請求項６に記載のミッドソール。
【請求項８】
前記１つ又はそれ以上の付加的なアーチ状サイプは、中間アーチ状サイプと、１つ又はそれ以上のより短いアーチ状サイプを有し、前記中間アーチ状サイプは、前記第１アーチ状サイプよりも短くかつ１つ又はそれ以上のより短いアーチ状サイプよりも長い長さを有する、請求項６に記載のミッドソール。
【請求項９】
前記複数のサイプは、さらに、複数の横サイプを有し、前記１つ又はそれ以上のより短いアーチ状サイプは１つの横サイプで終端し、また前記中間アーチ状サイプは次に続く横サイプで終端する、請求項８に記載のミッドソール。
【請求項１０】
前記中間アーチ状サイプは、前記第１アーチ状サイプと前記１つ又はそれ以上のより短いアーチ状サイプとの間に配置される、請求項８に記載のミッドソール。
【請求項１１】
前記１つ又はそれ以上の付加的なアーチ状サイプ、及び前記第１アーチ状サイプの少なくとも一部分は、前記ミッドソールの側端縁の曲率に平行である、請求項６に記載のミッドソール。
【請求項１２】
履物用のミッドソールであって、前記ミッドソールが、
つま先部、中央部、及び踵部を有するミッドソールの本体と、
第１表面及び前記第１表面とは反対側の第２表面であって、前記ミッドソールの本体が前記第１表面と前記第２表面との間で延在している、該第１表面及び第２表面と、並びに
前記第１表面から前記ミッドソールの本体内まで及んでいる複数のサイプであり、前記複数のサイプは、
前記ミッドソールを横切って横方向に延在する複数の横サイプ、並びに
第１対角線状サイプ及び第２対角線状サイプであり、前記第１対角線状サイプが前記第２対角線状サイプに交差するものである、該第１対角線状サイプ及び第２対角線状サイプ
を有し、
前記複数の横サイプは、前記第１対角線状サイプが前記第２対角線状サイプに交差する位置で前記第１対角線状サイプ及び第２対角線状サイプに交差する第１横サイプを含んでいる、
該複数のサイプと、
を備える、ミッドソール。
【請求項１３】
前記複数の横サイプは均等に離間している、請求項１２に記載のミッドソール。
【請求項１４】
前記複数のサイプは、さらに、前記ミッドソールに沿って縦方向に延在する複数のアーチ状サイプを有する、請求項１２に記載のミッドソール。
【請求項１５】
前記複数のアーチ状サイプは、前記第１対角線状サイプが前記第２対角線状サイプに交差する位置で、前記第１対角線状サイプ、前記第２対角線状サイプ、及び前記第１横サイプに交差する第１アーチ状サイプを有する、請求項１４に記載のミッドソール。
【請求項１６】
前記第１横サイプが前記第１対角線状サイプ、前記第２対角線状サイプに交差する位置は、前記ミッドソールの前記踵部である、請求項１２に記載のミッドソール。
【請求項１７】
ミッドソールを備える履物底部の集合体であって、前記ミッドソールは、
つま先部、中央部、及び踵部を有するミッドソールの本体と、
第１表面及び前記第１表面とは反対側の第２表面であって、前記ミッドソールの本体が前記第１表面と前記第２表面との間で延在している、該第１表面及び第２表面と、並びに
前記第１表面から前記ミッドソールの本体内まで及んでいる複数のサイプであり、前記複数のサイプは、
第１対角線状サイプ及び第２対角線状サイプであり、前記第１対角線状サイプが前記第２対角線状サイプに交差するものである、該第１対角線状サイプ及び第２対角線状サイプ、並びに
前記つま先部から前記踵部まで縦方向に延在する第１アーチ状サイプであって、前記第１対角線状サイプが前記第２対角線状サイプに交差する位置で前記第１対角線状サイプ及び前記第２対角線状サイプに交差する、該第１アーチ状サイプ
を含んでいる、該複数のサイプと、
を有するものであり、また
前記履物底部の集合体は、前記ミッドソールに結合したアウトソールを備える、履物底部の集合体。
【請求項１８】
前記複数のサイプは、さらに、前記第１対角線状サイプが前記第２対角線状サイプに交差する位置で前記第１アーチ状サイプに交差する少なくとも１つの横サイプを有する、請求項１７に記載の履物底部の集合体。
【請求項１９】
前記第１対角線状サイプが前記第２対角線状サイプに交差する位置は、前記踵部である、請求項１８に記載の履物底部の集合体。
【請求項２０】
前記ミッドソールの前記第１表面は前記アウトソールに対向する、請求項１７に記載の履物底部の集合体。
【発明の詳細な説明】
【背景技術】
【０００１】
靴のようなほとんど全ての履物は、ゴム、フォーム、又はその他の素材で作られたサポート用のソールを含む。人々の足にサポートと快適さを提供しつつ、靴底自体は通常、様々な理由からやや硬い。一つの理由として靴底は、常に平坦であるとは限らない多様な表面を歩いたり、走ったりする際に人の足をサポートしなければならない。例えば、ハイキングでは人々は平坦ではない原野を移動しなければならず、人は丘に登ったり、岩を登ったりあるいは、平坦ではない表面を移動し、これらのいずれも靴底の着地の際に完全に平坦な表面を提供するものではない。単純なランニングやウォーキングのような活動さえもしばし、平坦でなかったり、上又は下に傾斜した地形で行われることがある。足が平坦でない表面にあたると、足の異なる領域は他の部分よりも多くの力を吸収する。そのため靴底は平坦ではない表面において異なる方法で曲がる足に適応するのに十分なほど柔軟でなければならない。
【発明の概要】
【０００２】
本発明の概要は、後述の詳細な説明にさらに説明する、簡素な形態において、概念の選択を紹介するために提供される。本概要は、請求項の内容の重要な特徴又は本質的な特徴を特定することを意図するのではなく、請求項の内容の範囲の決定を助けるものとして使用されることを意図するものでもない。むしろ、本概要は本発明の異なる様々な実施例を説明するために提供されるものであるが、全ての実施例を説明することができた訳ではない。そのため、本概要は請求項の内容を制限するものとして依拠してはならない。
【０００３】
本発明の一側面は、異なる方向への柔軟性を提供するよう計画的にミッドソールの上部と下部の表面に組み込まれた様々なサイプ（例：切り込みライン）を含む、靴底に関連する。さらに、上部表面の複数のサイプは実質的に下部表面の複数のサイプと実質的に平行であると考える。さらに、上部表面の平行なサイプは、下部表面のサイプの延在方向に対して垂直方向に向かって下部表面のサイプからオフセットしていると考える。さらに、下部サイプと実質的に平行方向に延在するチャンネルを有するアウトソールも本発明のいくつかの側面において含まれると考える。
【０００４】
本発明の詳細を添付の図面を参照して以下に説明する。
【図面の簡単な説明】
【０００５】
【図１】本発明の一実施例に係る、計画的に組み込まれた切り込みラインを有する靴底の下面図である。
【図２】本発明の一実施例に係る、計画的に組み込まれた切り込みラインを有する靴底の下面図である。
【図３】本発明の一実施例に係る、計画的に組み込まれた切り込みラインを有する靴底の下面図である。
【図４】本発明の一実施例に係る、アウトソールに張り付けられる靴底の展開図である。
【図５Ａ】本発明の一実施形態に係る、計画的に切り込まれた様々なラインを有する靴底に張り付けられたアウトソールの側面図である。
【図５Ｂ】本発明の一実施例に係る、靴が取り付けられた靴底に張り付けられ、つま先部及び踵部を上向きに曲げるよう伸縮させたアウトソールの側面図である。
【図６】本発明のいくつかの側面に係る、靴底のミッドソールの一例示的な上側（例：上部）表面図である。
【図７】本発明の一又は複数の側面に係る、靴底のアウトソールの下面（例：下部）図である。
【図８】本発明のいくつかの側面に係る、靴底の側面図である。
【図９】本発明のいくつかの側面に係る、靴底の内面図である。
【図１０】本発明のいくつかの側面に係る、靴底のつま先先端部から見た図である。
【図１１】本発明のいくつかの側面に係る、靴底の踵先端部分から見た図である。
【図１２】本発明のいくつかの側面に係る、ミッドソールの下側表面図である。
【図１３】本発明のいくつかの側面に係る、図６に示す靴底のカットラインＢ−Ｂに沿った断面図である。
【図１４】本発明のいくつかの側面に係る、図６に示す靴底のカットラインＣ−Ｃに沿った断面図である。
【図１５】本発明のいくつかの側面に係る、図６に示す靴底のカットラインＤ−Ｄに沿った断面図である。
【図１６】本発明のいくつかの側面に係る、図６に示す靴底のカットラインＥ−Ｅに沿った断面図である。
【図１７】本発明のいくつかの側面に係る、図６に示す靴底のカットラインＡ−Ａに沿った断面図である。
【図１８】本発明のいくつかの側面に係る、靴底のカットラインＡ−Ａに沿う、図１７に示した、注目領域１８を示した図である。
【図１９】本発明のいくつかの側面に係る、靴底のカットラインＡ−Ａに沿う、図１７に示した、注目領域１９を示した図である。
【図２０】本発明のいくつかの側面に係る、可動性を有する素子を含む靴の構造を示した図である。
【発明を実施するための形態】
【０００６】
本発明の内容は、法的要件を満たすように、本明細書に具体的に記載される。しかしながら記載そのものは、本特許の範囲を制限することを意図するものではない。むしろ本発明者らは、他の現在又は将来の技術と併せて、異なるステップ又は本明細書に記載のものと同様のステップの組合せを含むように、請求項の内容を他の態様でも具現化することを考えた。
【０００７】
一般的に本発明は、下部表面及び／又は上部表面に多様なライン線分切り込み（切れ目を入れたもの、形成されたもの、あるいは組み込まれたものを含む）を有する履物底部（以下、単に「靴底」とする）に関するものである。特にミッドソール部はミッドソールの上部表面及び／又は下部表面上の一又は複数の多様なライン線分を備える。ライン（例：チャンネル、グルーブ、凹部、切り込み）は、柔軟性と軽量化を一層向上させるために靴底の１つ又は２つ以上の部分にかけて靴底に組み込まれる。一実施例においては、靴底の幅方向（外側に向かうアーチ面）のラインが端から端へと横切り、そのため靴底の踵部とつま先部をより簡単に上側（例：上面）に向けて、互いに離れた状態で曲げることができる。他の実施例は、靴底の上側つま先部に組み込まれたアーチ状のラインと靴底のつま先先端部から踵部の下端部にかけて縦断するよう組み込まれたアーチ状のラインである、平行縦断を含む。さらに、いくつかの実施例では、踵部において組み込まれた十字状又は風車状のラインが含まれる。
【０００８】
具体的な説明の前にいくつかの用語を明確にしたい。本明細書中「靴底」とは履物のミッドソール部を示し、例えば、インソールとアウトソール間の靴の部分を指す。当業者であれば、一例示的側面からインソールは靴の下側底部であり、人の足の直下で、フットベッド（一般的に中敷として知られる）の下に敷かれるものであることを理解するであろう。インソールは、釣り込みの際のクロージング（製甲）の最中に履物の靴型の周りを包む、履物上部の釣り代に取り付けられる。インソールは、セルロースペーパーボード、合成不織布インソールボード等から形成されることが可能である。
【０００９】
付加的なクッション性を与えるために靴底、繰り返しの説明になるが、一般的にミッドソールとして知られたものは、インソールの下に形状や湿気、靴の臭いを制御したり、元来の足の形の欠点を補う健康上の理由や立ったり、歩いたり、走ったりする際の足の位置を調整するといった快適さを提供するものとして付加される。靴底は、フォーム、フォームクッションシート、ラテックス、エチレン酢酸ビニル共重合体（ＥＶＡ）、ポリウレタン、プラスチック、熱可塑性物質又はそれらを混合したものから形成され又は統合される。一例示的側面において、靴底は、完全に一種類の材料から作られるということはない。例えば、靴底はスチール又はプラスチック製のつま先部をサポート及び／又は保護するために空気又はジェルのポケットを備えていてもよい。他のバリエーションも可能であり、それらは一般的に当業者に理解され、認識されるであろう。
【００１０】
靴底の底部に連結するのは「アウトソール」であり、直接、地面に接触するように作られた靴の層である。ドレス・シューズはしばし、革や樹脂ゴムのアウトソールを有し、カジュアル又はスポーツ用の靴は、通常、天然ゴムやプラスチック、またはポリウレタンのような合成材から作られている。アウトソールは、１種類の材料から作られていても異なる材料の個々の物質の集合体を含んでいてもよい。さらに、アウトソールは多様な目的に対応し、異なる取り付け部分を含んでもよく、例えば、競技用の滑り止めやファッション用のハイヒール又は木材、トレッド（底部）等である。特にトレッドは、グリップ力を最大化するためにアウトソールにおいてパターン化し構成してもよい。例えば、アウトソールのトレッドは、突起部で円形、三角形、長方形、五角形、六角形、八角形又はその他の種類のパターンを含んでいてもよい。そのようなパターンの実施例を添付の図面に示し、以下に詳述する。
【００１１】
ラインは、本明細書に述べるパターン及び実施例に従い、靴底に組み込まれ、切り込まれ、形成され及び／又は切れ目を入れられる。組み込まれたラインについては、当業者ならは数多くの機械及び工程が効果的にラインを靴底に組み込むために使用されていることを理解し、認識するだろうから、本明細書にて長く述べる必要はない。このような組み込みは、手作業、機械及び／又はどちらか一方の方法によって実行することが可能である。例えば、コンベアーは、靴底を、特定のパターンのラインを組み込むようにコンピュータ制御されたレーザーカッター機に導入する。あるいは恐らく、作業員が靴底をカッター機の下に設置し、手作業によって靴底に組み込み又は切り込みを入れるのであろう。
【００１２】
図１は、本発明の一実施例に従う、計画的に組み込まれたラインの底部の下面図である。靴底１００は、少なくとも２つの部分、即ち、つま先部１０２及び踵部１０４を含む。つま先部１０２は、人の足をサポートするように設計された領域を含み、靴底１００の前方（例：つま先先端部）半分にわたる。踵部１０４は、人の足をサポートするように設計された領域を含み、靴底１００の後方半分（例：踵先端部）にわたる。本明細書では靴底１００は２つの側面、アーチ側１０６（例：内側）及び外側１０８（例：側部側）を含む。アーチ側１０６は、人の土踏まずに最も近い靴底１００の端部を含む。外側１０８は、靴底１００において反対側の端部、人の土踏まずから離れた端部を含む。
【００１３】
靴底１００は、異なる部分や側面を縦断する、いくつもの計画的に組み込まれたラインを含む。横ライン１１０は、つま先部１０２及び／又は踵部１０４において幅方向にアーチ側１０６から外側１０８へ横断する。本実施例における横ラインは、一つ一つ均一に離間されている。図中には示されていないが、本発明のいくつかの実施例において、実際に横ライン１１０を、アーチ側１０６の中心において端部の間隔を相互に近づけると共に、外側１０８の上側領域においてはさらに間隔を空けるようにすることで、小さな及び大きなカーブの周囲に間隔を配置することが可能である。実際の靴では、横ライン１１０は靴底１００に靴の踵及び／又はつま先部を曲げるためのより高い柔軟性を提供することができるであろう。さらに、１つ又は２以上のラインの間隔、サイズ、形状及び配置は本明細書に示したものとは異なるであろうと考えられる。
【００１４】
つま先部１０２においては、つま先部１０２の前方つま先先端部から延在する５つのラインが組み込まれている。最右側の４つのアーチ状のライン（内側ライン１１２及びより長いライン１１４）は、つま先部１０２と同じ領域において、互いに平行であり、さらに外側１０８の湾曲（曲率）に対して実質的に平行である。踵部１０４に向かって延在する内側ライン１１２は一横ライン１１０にて停止し、より長いライン１１４は踵方向寄りにある横ライン１１０にて停止する。内側ライン１１２及びより長いライン１１４は、両方ともいくつもの横ライン１１０を横切る。本発明のいくつかの側面に従い代替となる長さや組み合わせを有するラインも適用できると考えられる。
【００１５】
縦ライン１１６は、より長いライン１１４の隣にあり、全長は横ライン１１０を縦断し、つま先部１０２から踵部１０４を縦断し、つま先先端部及び踵先端部分からそれぞれ延在したものである。縦ライン１１６は、つま先部１０２の外側１０８の湾曲を模倣しており、双方は実質的に平行である。縦ライン１１６は、踵部１０４に延在し、縦ライン１１６は踵部１０４を縦断するため縦ライン１１６は、アーチ側１０６の湾曲を模倣し、アーチ側１０６と平行である湾曲とは、対極である湾曲を含む。
【００１６】
交差ライン１１８及び１２０は、縦ライン１１６とも交差する中心点１２２にて交差するよう、いくつもの横ライン１１０を縦断する。交差ライン１１８及び１２０は、対角線状にアーチ側１０６及び外側１０８の間を対極方向に縦断する。交差ライン１１８はアーチ側１０６の上方領域より外側１０８の下方領域に向かって縦断する。対照的に交差ライン１２０は外側１０８の上方領域よりアーチ側１０６の下方領域に向かって縦断する。
【００１７】
靴底１００は、本発明の一実施例を示したに過ぎない。他の代替の実施例には、図１に示されているラインに付加的なラインを加えたもの又はいくつかのラインを除いたものを含んでもよい。そのため、本発明は、それぞれ示された本数とは異なる数の横ライン１１０、内側ライン１１２、より長いライン１１４、縦ライン１１６又は交差ライン１１８及び１２０を含んでもよい。同様に他の実施例は、靴底１００に示すライン間の間隔の数が異なっているものも含む。異なる多様な本数については本明細書に記載するのには到底多すぎるが、本発明の多様な実施例においては、計画的に組み込まれたラインの異なる配置及び本数を含むことを認識されたい。
【００１８】
横ライン１１０がより高い柔軟性を付加することで、靴底１００がよりつま先部及び踵部においてより上方に曲がりやすくなるだけでなく、内側ライン１１２、より長いライン１１４及び縦ライン１１６は靴底１００の幅方向での柔軟性を高め、アーチ側１０６及び外側１０８がより上方に曲がりやすくなる。さらに交差ライン１１８及び１２０は、縦ライン１１６と共に踵部１０４の柔軟性を高め、人の踵をより受け入れ易くし、クッション性を高めることを可能にする。これらの実施例は、計画的に作られたラインによってもたらされるいくつかの利点を説明のために挙げたに過ぎない。記載された利点は、利点が網羅されたリストではなく、本発明の請求項に係る実施例を特定の利点に制限するものとして依拠してはならない。
【００１９】
図２は、本発明の一実施例に係る、計画的に組み込まれた切り込みラインを有する靴底の下面図である。靴底２００は、２つの部分、即ち、つま先部２０２及び踵部２０４を含む。つま先部２０２は、人の足をサポートするように設計された領域を含み、靴底２００の前方半分にわたる。踵部２０４は、人の足をサポートするように設計された領域を含み、靴底２００の後方半分にわたる。本明細書では靴底２００は２つの側面、アーチ側２０６（例：内部）及び外側２０８（例：側部）を含む。アーチ側２０６は、人の土踏まずに最も近い靴底２００の端部を含む。外側２０８は、靴底２００において反対側の端部、人の土踏まずから離れた端部を含む。
【００２０】
靴底２００は、異なる部分や側面を縦断する、いくつもの計画的に組み込まれたラインを含む。横ライン２１０は、つま先部２０２又は踵部２０４において幅方向にアーチ側２０６から外側２０８へ横断する。横ライン２１０は、一つ一つ均一に離間されている。図中には示されていないが、本発明のいくつかの実施例において、実際に横ライン２１０を、アーチ側２０６の中心において端部の間隔を相互に近づけ、外側２０８の上側領域においてはさらに間隔を空けるようにすることで、小さな及び大きなカーブの周囲に間隔を配置することが可能である。実際の履物では、横ライン２１０は靴底２００に靴の踵及び／又はつま先を曲げるためのより高い柔軟性を提供することができるであろう。
【００２１】
つま先部２０２においては５つのラインが、つま先部２０２の先端部にて打ち止めされるよう組み込まれている。最右側の４つのアーチ状のライン（内側ライン２１２及びより長いライン２１４）は、つま先部２０２と同じ領域において、互いに平行であり、さらに外側２０８の湾曲に対して平行である。踵部２０４に向かって流入する内側ライン２１２は一横ライン２１０にて停止し、より長いライン２１４は連続する次の横ライン２１０にて停止する。内側ライン２１２及びより長いライン２１４は、両方ともいくつもの横ライン２１０を横切る。
【００２２】
縦ライン２１６は、より長いライン２１４の隣に位置し、全長は横ライン２１０を縦断し、つま先部２０２から踵部２０４を通り、つま先部及び踵部のそれぞれの上方及び下方先端と接触している。縦ライン２１６は、つま先部２０２の外側２０８の湾曲を模倣しており、双方は平行である。縦ライン２１６は踵部２０４を縦断するため縦ライン２１６は、アーチ側２０６の湾曲を模倣し、アーチ側１０６と平行な湾曲とは、対極である湾曲を含む。
【００２３】
靴底２００は、本発明の一実施例を示したに過ぎない。他の代替の実施例には、図１に示されているラインに付加的なラインを加えたもの又はいくつかのラインを除いたものを含んでもよい。そのため、本発明は、それぞれ示された本数とは異なる数の横ライン２１０、内側ライン２１２、より長いライン２１４、縦ライン２１６を含んでもよい。同様に他の実施例は、靴底２００に示すライン間の間隔の数が異なっているものも含む。異なる多様な本数については本明細書に記載するのには到底多すぎるが、本発明のいくつもの実施例が計画的に組み込まれたラインの異なる配置及び本数を含むことを認識されたい。
【００２４】
図３は、本発明の一実施例に係る、計画的に組み込まれた切り込みラインを有する靴底の下面図である。靴底３００は、２つの部分、即ち、つま先部３０２及び踵部３０４を含む。つま先部３０２は、人の足をサポートするように設計された領域を含み、靴底３００の上方半分にわたる。踵部３０４は、人の足をサポートするように設計された領域を含み、靴底３００の下方半分にわたる。本明細書では靴底３００は、２つの側面、アーチ側３０６及び外側３０８を含む。アーチ側３０６は、人の土踏まずに最も近い靴底３００の端部を含む。外側３０８は、靴底３００において反対側の端部、人の土踏まずから離れた端部を含む。
【００２５】
靴底３００は、異なる部分や側面を縦断する、いくつもの計画的に組み込まれたラインを含む。横ライン３１０は、つま先部３０２又は踵部３０４において幅方向にアーチ側３０６から外側３０８へ横断する。横ライン３１０は、一つ一つ均一に離間されている。図中には示されていないが、本発明のいくつかの実施例において、実際に横ライン３１０を、アーチ側３０６の中心において端部の間隔を近づけ合わせ、外側３０８の上側領域においてはさらに間隔を空けるようにすることで、小さな及び大きなカーブの周囲に間隔を備えることが可能である。実際の履物では、横ライン３１０は靴底３００に履物の踵及び／又はつま先を曲げるためのより高い柔軟性を提供することができるであろう。
【００２６】
交差ライン３１２及び３１４は、中心点３１６にて交差するよう、いくつもの横ライン３１０を縦断する。交差ライン３１２及び３１４は、対角線状にアーチ側３０６及び外側３０８の間を対極方向に縦断する。交差ライン３１２はアーチ側３０６の上方領域より外側３０８の下方領域に向かって縦断する。対照的に交差ライン３１４は外側３０８の上方領域よりアーチ側３０６の下方領域に向かって縦断する。
【００２７】
靴底３００は、本発明の一実施例を示したに過ぎない。他の代替の実施例には、図１に示されているラインに付加的なラインを加えたもの又はいくつかのラインを除いたものを含んでもよい。そのため、本発明は、それぞれ示された本数とは異なる数の横ライン３１０、交差ライン３１２及び３１４を含んでもよい。同様に他の実施例は、靴底３００に示すライン間の間隔の数が異なっているものも含む。異なる多様な本数については本明細書に記載するのには到底多すぎるが、本発明のいくつもの実施例が計画的に組み込まれたラインの異なる配置及び本数を含むことを認識されたい。
【００２８】
図４は、本発明の一実施例に係る、アウトソールに張り付けられる靴底の展開図である。靴底４００はアウトソ−ル４０２に接着、糊付け、縫い付け、溶解又はアウトソールをミッドソールに張り付けるための他の技術によって結合する。いくつかの種類の組み込まれるラインは、靴底４００の下側表面に組み込まれた後にアウトソール４０２の上側表面において、アウトソール４０２と結合する。靴底４００の下側表面にラインは、横ライン４０４、内側ライン４０６、より長いライン４０８、縦ライン４１０及び交差ライン４１２及び４１４を含むが、これらのラインに制限されない。各ラインは図１に示されたラインと同様の方式で靴底４００の下側表面を通る。代替のラインのパターンは、例えば、図２及び図３において図示されているように、他の実施例において使用することが可能である。
【００２９】
アウトソール４０２は、六角形状の突起部として図示されているトレッド４１６を下側表面に備えることが可能である。他の実施例として、異なるパターン又は形状のトレッドを含むことが可能である。例えば、トレッドはアウトソール４０２において対称に配置する必要はなく、代わりにトレッド４１６を非対称方式に配置してもよい。同様にトレッド４１６は、滑り止めやプレート、ハイヒール等、アウトソールの他の形状の周囲に配置することも可能である。トレッド４１６自体は、代替として円形、三角形、長方形、五角形、八角形又はその他の形状で形成されていてもよい。いくつかの実施例においては、トレッド４１６は、高くなっているのではなく逆に低くなって（くぼんで）いてもよく、それ２つの組み合わせ（くぼみ及び突起）をアウトソール４０２に組み込んでもよい。
【００３０】
アウトソール４０２を靴底４００に組み込むことで、１つ又はそれ以上の利点を提供することができる。例えばアウトソール４０２を、熱弾性ポリマーのような１つ又はそれ以上の外部の物体が靴底４００に引っ掛ったり、刺さることを防止する薄い弾力性のある材料で形成してもよい。特に、アウトソール４０２は物体（例えば、岩、石、枝、泥）が入り込むことを妨げ、ラインによって形成される靴底を保全するのに効果的である。
【００３１】
図５Ａは、本発明の一実施例に係る、計画的に切り込まれた様々なラインを有する靴底に張り付けられるアウトソールの側面図である。アウトソール５０２は、前述の技術（例：接着、糊付け、縫い付け、溶解等）のいずれによってもアウトソール５０２に張り付けることができる。アウトソール５０２は、外側に向かって延在するトレッド５０４のパターンを含み、アウトソール５０２は、いくつもの組み込まれたライン５０６であって、横ライン、内側ライン、より長いライン、縦ライン又は交差ラインのいずれかで、全て特定の深さ（例：０．５ミリメートル）にて靴底５００に組み込まれることが示されているラインを含んでもよい。本明細書中のいずれのラインのパターンも使用することが可能である。
【００３２】
図５Ｂは、本発明の一実施例に係る、靴底５００に張り付けられたアウトソール５０２と、靴底に取り付けて、つま先部を曲げ、踵部を上向きにするよう伸縮させた靴５０８の側面図である。履物５００は、靴５０８がさらに伸縮するに従って、ライン５０６を全開（例：ラインの第一の仕切り及び第二の仕切りの幅は靴底の分節の増大に伴い広がる）させることができるため、容易にさらに伸縮させることが可能である。図示されていないが、靴底５００のアーチ状のラインも異なる動き又は圧力が靴底５００に加えられた場合に全開するよう伸縮することが可能である。例えば、靴底５００の踵部は、人の踵が靴５０８に入っている場合又は恐らく履物５００において、人が踵を強く踏みしめた場合には、通常の中央領域よりもさらに強く押されることなる。又は、他の一実施例では、ランナーは、ランナーがアーチ状の内側ライン及び／又はより長いライン、縦ラインによって、横に傾いた際、ランナーの足のボール（母指球、小指球）部分において、靴５０８のさらなる幅方向の柔軟性を得ることができるであろう。
【００３３】
図６から２０は、本発明の一例示的な側面に係る、着用時の位置における、足の動きの変化に伴い適応し、動く機能を持つ可動性を有する靴を示している。特に以下に記載する履物の内容は、所望の動作の自由を提供することと調和するものである。例えば、（例示的な側面における）アウトソール、ミッドソール及びストローベルは、それらの集合体が全体で所望の動き及び動作を尊重するような方式でそれぞれ形成及び寸法され、組み立てられている。後に図示及び記載するが、各構成要素の特徴は、柔軟に適応する靴及び靴底を全体として達成するための配置、設定、寸法を示し、組み合わせで使用されることもある。
【００３４】
図６は、本発明のいくつかの側面に係る、靴底６００の例示的なミッドソール６０１の上側（例：上部）表面図である。ミッドソール６０１は、つま先先端部６０２、その反対側に位置する踵先端部分６０６、内側６０８及びその反対側に一する側部側６０４を含む。前述したように靴底の上側表面は従来、その靴底の上方部である。例えば、従来のストローベル（又はインソール）はミッドソールの上側表面に接触し、同時にアウトソールはミッドソールの従来の下側表面に接触する。
【００３５】
ミッドソール６０１は、複数のサイプ（例：切り込み、チャンネル、打痕、くぼみ、ライン）を備える。サイプは、履物の鋳造過程又は後の工程、例えば、１つ又は二つ以上のサイプをミッドソール６０１の表面に形成するよう、刃物又はレーザーをあててもよい。本実施例において、ミッドソール６０１のサイプは、第一グループおいては、実質的に互いに平行な配置であって、一般的に内側のつま先寄り方向から側面の踵部寄り方向に向かうように設定されている。ミッドソール６０１の上側表面に組み込まれる第二グループのサイプは、実質的に互いに平行な配置であって、一般的に側面のつま先寄り方向から内側の踵部寄り方向に向かうように設定されている。サイプ６１２は、第一グループの例示的なサイプであり、サイプ６１０は、第二グループの例示的なサイプである。結果的に第一グループのサイプ及び第二グループのサイプは、実質的に互いに垂直方向に配置される。さらに第一グループのサイプ及び第二グループのサイプは、カットラインＡ−Ａにより定義される軸線から約４５度の位置に配置される。
【００３６】
図示するようにミッドソール６０１の上側表面には、ミッドソール６０１のフットサポート領域の実質的な領域を横断する第一グループのサイプ及び第一グループのサイプが組み込まれている。フットサポート領域は、静止時の位置では着用者の足の圧力がミッドソールを通じて伝わるミッドソール６０１の一部である。異なる見方をすると、フットサポート領域は、着用時の位置では着用者の足の裏に実質的に隣接する。そのため一例示的な側面においては、ミッドソール６０１の前方領域の上側表面において、一又は複数のサイプを除くこともある。一例示的な側面においては、前方領域おいてサイプを停止させることにより、一定のレベルの継続性を特定の位置（例：前方領域）に提供することで、ミッドソール６０１の構成上の統合性及び内側／側面へのサポートを提供することが可能となる。代替として、一例示的な側面から、上側表面（及び／又は下側表面）の一又は複数のサイプをミッドソールの先端まで延在させてもよい。
【００３７】
ミッドソールは多様な材料を備えることが可能である。例えば、エチレン酢酸ビニル共重合体（ＥＶＡ）素材を、ミッドソール６０１を形成する際に使用することが考えられる。前述したように本発明のミッドソールには一定レベルの弾性／伸縮性及び柔軟性が所望される。しかしながら、ＥＶＡは機械的に強化させなければ所望の弾性／伸縮性及び柔軟性の定量値を提供することができない。そのため上側表面及び／又は下側表面におけるサイプの計画的な組み込み（図１２において後述する）によって、ＥＶＡによって形成されたミッドソールが、所望レベルの弾性／伸縮性及び／又は柔軟性を達成することを可能にするであろうと考える。
【００３８】
図６は、図６の靴底６００の断面図を示すために複数のカットラインを図示している。例えば、カットラインＡ−Ａはつま先先端部６０２から踵先端部６０６にむかって延在し、後述の図１７に図示する。カットラインＢ−Ｂは、後述の図１３に図示する。カットラインＣ−Ｃは、後述の図１４に図示する。カットラインＤ−Ｄは、後述の図１５に図示する。カットラインＥ−Ｅは、後述の図１６に図示する。
【００３９】
図７は、本発明のいくつかの側面に係る、靴底のアウトソールの一例の下面（例：下部）図である。アウトソール７０１は、複数のチャンネル（例：チャンネル７０４）によって分離された複数のトレッド（例：トレッド７０２）を備える。トレッドは、突出状の形状であり、アウトソールのウェビング（例：チャンネルの下側表面）より外側寄り（例：下側方向）に向かって延在する。図示するトレッドの形状は長方形角柱（例：立方体形状）であるが、トレッドはどのような形状（例：円柱状）でもよいと考える。さらに、例示的な側面から、下側表面における特定の大きさのトレッド及び特定の幅のチャンネルが図示されているが、大きさ及び幅は双方とも代替することが可能である。
【００４０】
しかしながら、図示する側面からすれば、トレッドの大きさ及びチャンネルの幅は機能的な特性を提供する。例えば本実施例において、３つの実質的に平行なチャンネルのうち、第一及び第三チャンネルは、共通のサイプグループの第一サイプ及び第二サイプ間の間隔と実質的に同様の間隔を有している。例示的な一側面において、アウトソール７０１のチャンネルの方向は、図６及び図１２に示すミッドソール６０１の方向に合わせて並列すると考える。さらに後に詳述するが、例示的な一側面において、ミッドソール６０１の下側表面はアウトソール７０１のチャンネルと方向を合わせて並列し、対応する。ミッドソールのサイプ及びアウトソールのチャンネルの方向を合わせた配列が、集合体として結合した際に靴底全体として所望のレベルの動作性、応答性及び柔軟性の達成を助成することが認められるであろう。特定の大きさ、方向及び関係性が図示され、示されているが、どのような大きさ、形状及び配列も本発明の一又は複数の側面において実施されると考えられる。
【００４１】
アウトソール７０１は所望の一定レベルの柔軟性、弾力性及び応答性を提供する多様な材料を備える。例えば、一定の度合いの伸縮性を備えるように形成されたゴム（例：合成ゴム）材料は、アウトソールを形成する際に利用する。さらにアウトソールは、ウェビングの厚さ（例：チャンネル部における上側表面から下側表面まで）が約１ミリメートルとなるように形成する。さらにトレッドは、トレッドの上側表面から先端部までの厚さが約４ミリメートル（例：又は、ウェビングの下側表面からトレッドの先端部までの厚さが約３ミリメートル）となるように形成する。比較的最小のウェビングの厚さにすることでアウトソール７０１の所望の特性を達成することが可能となる。特定の寸法が示されているが、他の大きさ及び範囲も本発明の一又は複数の側面において使用できると考える。
【００４２】
図８は、本発明のいくつかの側面に係る、靴底６００の側面図である。特に靴底６００はアウトソール７０１、ミッドソール６０１及びバンド８０１を備える。さらにつま先先端部６０２及び側部側６０４を方向性の目的で明確にする。
【００４３】
バンド８０１は、靴底補強材であって、靴底６００に付加的な内側及び側面のサポートを提供する。一例示的側面において、バンドは、つま先先端部６０２、側部側６０４、踵先端部６０６及び内側６０８を含むミッドソール６０１の周囲領域に沿って延在する。一例示的な側面において、バンド８０１は、組み立てられた靴底６００について、他の靴底６００の特性と同様に、柔軟性及び応答性を盛り込む。そのため、バンド８０１は、所望のサイドウォール及び内側／側部の安定性を提供しながらも所望レベルの伸縮性を達成する弾力性機能を有する材料から形成される。
【００４４】
図９は、本発明のいくつかの側面に係る、靴底の内面図である。特に靴底６００はアウトソール７０１、ミッドソール６０１及びバンド８０１を備える。さらにつま先先端部６０２及び内側６０８を方向性の目的で明確にする。
【００４５】
図１０は、本発明のいくつかの側面に係る、靴底６００のつま先先端部から見た図である。特に靴底６００はアウトソール７０１、ミッドソール６０１及びバンド８０１を備える。さらに内側６０８及び側部側６０４を方向性の目的で明確にする。
【００４６】
図１１は、本発明のいくつかの側面に係る、靴底６００の踵先端部から見た図である。特に靴底６００はアウトソール７０１、ミッドソール６０１及びバンド８０１を備える。さらに内側６０８及び側部側６０４を方向性の目的で明確にする。
【００４７】
図１２は、本発明のいくつかの側面に係る、ミッドソール６０１の下側表面図である。ミッドソール６０１は、つま先先端部６０２、踵先端部６０６及び側部側６０４を含む。さらに下側表面は、図６においてミッドソール６０１の上側表面について記載したように、複数のサイプを備える。
【００４８】
特に図示された下側表面のサイプは、第一グループおいては、実質的に互いに平行な配置であって、一般的に内側のつま先寄り方向から側面の踵部寄り方向に向かうように設定されている。ミッドソール６０１の下側表面に組み込まれる第二グループのサイプは、実質的に互いに平行な配置であって、一般的に側面のつま先寄り方向から内側の踵部寄り方向に向かうように設定されている。サイプ１２０６、１２０８、１２１０及び１２１２は、第一グループの例示的なサイプであり、サイプ１２０２、１２０４、１２１４及び１２１６は、第二グループの例示的なサイプである。結果的に第一グループのサイプ及び第二グループのサイプは、実質的に互いに垂直方向に配置される。さらに第一グループのサイプ及び第二グループのサイプは、カットラインＡ−Ａにより定義される軸線から約４５度の位置に配置される。図示するように下側表面は、下側表面のフットサポート領域を横断するサイプを組み込まれており、図６の上側表面について前述したものと同様である。
【００４９】
一例示的な側面において、後述の図１５に示されるように上側表面のサイプ及び下側表面のサイプは互いにオフセットしている。さらにオフセットは、共通のグループのサイプ間隔の約半分に等しいと考えられる（例：１２０６と１２０８間の半分の間隔）。さらに上側表面の一グループ内のサイプのサイプ間の間隔は、下側表面の一グループ内のサイプのサイプ間の間隔と同様に保たれていると考えられる。即ち、一例示的側面において、同一側面上の他のサイプに関する方向、ミッドソール６０１に関する方向及びサイプの大きさは、上側表面のサイプ及び下側表面のサイプと調和するよう保たれている。しかしながら、上側表面のサイプのグループ及び下側表面のサイプのグループは、上側下側方向で並列するのではなく、むしろ、互いにオフセットしている。オフセットしているサイプは、アコーディオン様の効果を作り出し、ミッドソールが伸縮し、動的環境及び動く足に快適さを与えることを可能にする。
【００５０】
図１３は、本発明のいくつかの側面に係る、靴底６００のカットラインＢ−Ｂに沿った断面図１３００である。靴底は、アウトソール７０１、ミッドソール６０１及びバンド８０１を備える。さらに靴底６００の一部は、内側６０８及び側部側６０４であると定義する。
【００５１】
断面図１３００は、ミッドソール６０１の上側表面に図６にて双方明示したサイプ、６１０及びサイプ６１２のような、複数のサイプを備える。ミッドソール６０１は、下側表面に図６にて既に明示したサイプ１２０２、１２０４、１２０６及び１２０８のような、複数のサイプを備える。
【００５２】
図１４は、本発明のいくつかの側面に係る、靴底６００のカットラインＣ−Ｃに沿った断面図１４００である。靴底は、アウトソール７０１、ミッドソール６０１及びバンド８０１を備える。
【００５３】
断面図１４００は、ミッドソール６０１の下側表面のサイプと対応するアウトソール７０１のチャンネル間の例示的な関係を図示している。例えば、チャンネル１４０４は、トレッド１４０２及び１４０６のような、トレッドの間に形成される。前述したようにミッドソール６０１の下側表面のサイプは、アウトソールの下側表面のチャンネルと並列し、対応するよう方向づけされると考える。本実施例においては、下側のサイプのチャンネルによって形成されたアウトソールの柔軟な領域によって形成された、ミッドソールの柔軟な領域の配列は、靴底の集合体が動的環境に適応する応答性と柔軟性を持つことを可能にする。図１３から図１６に図示するようにミッドソール６０１の下側サイプとアウトソール７０１のチャンネルの配列は靴底を幅方向に横断する。しかしながら、本発明の複数の側面においては、オフセットする構造（例：サイプ、チャンネル）は、構造の配列／関係とは無関係に適用できると考えられる。
【００５４】
図１５は、本発明のいくつかの側面に係る、靴底６００のカットラインＤ−Ｄに沿った断面図１５００である。靴底は、アウトソール７０１、ミッドソール６０１及びバンド８０１を備える。断面図１５００は、ミッドソール６０１の上側表面と下側表面との間の例示的なオフセットを図示している。例えば、カットラインＤ−Ｄは、ミッドソールの上側表面の第一グループと第二グループ間の交差部分のサイプを横断（例：図６に最もよく図示されている）し、カットラインＤ−Ｄは、ミッドソールの下側表面の第一グループと第二グループ間の交差部分のサイプを横断（例：図１２に最もよく図示されている）しており、ミッドソールの上側及び下側サイプの特徴が明確に図示されている。本例示的側面において、サイプのオフセットは、ミッドソールにアコーディオン様の効果を提供し、その効果は機械的に導入された伸縮性を構成要素に提供する。導入される伸縮性は、本実施例のミッドソールのサイプ形状とアウトソールのチャンネル形状間の交差（例：アウトソール７０１のチャンネル１５０４と下側サイプ１５０２の配列）によって、特定の方向に限定（例：つま先から踵又は内側から側面側）されることはない。しかしながら、全体を通じて明示してきたように、対応する形状又は配列の利用の有無に関わらず、付加的な構成も適用可能できると考えられる。
【００５５】
図１６は、本発明のいくつかの側面に係る、靴底６００のカットラインＥ−Ｅに沿った断面図１６００である。靴底は、アウトソール７０１、ミッドソール６０１及びバンド８０１を備える。さらに例示的な下側表面サイプ１６０２は、アウトソールチャンネル１６０４と並列するように図示されている。
【００５６】
図１７は、本発明のいくつかの側面に係る、靴底６００のカットラインＡ−Ａに沿った断面図１７００である。靴底は、アウトソール７０１、ミッドソール６０１及びバンド８０１を備える。さらに靴底６００の一部は、つま先先端部６０２及び踵先端部分６０６であると定義する。さらに注目領域１８を図示している。注目領域１８は、後述の図１８において拡大されている。加えて、注目領域１９を図示している。注目領域１９は、後述の図１９において拡大されている。
【００５７】
図１８は、本発明のいくつかの側面に係る、靴底６００のカットラインＡ−Ａに沿う、図１７に示した、注目領域１８を示した図である。特にミッドソール６０１及びアウトソール７０１が図示されている。ミッドソール６０１は、ミッドソール上側表面１８０２及びミッドソール下側表面１８０４を備える。さらにミッドソール６０１は、例えば、上側サイプ１８０２のような、ミッドソール上側表面１８０２に複数のサイプを備える。同様にミッドソール下側表面１８０４は下側サイプ１８１２のような、複数のサイプを備える。
【００５８】
アウトソ−ル７０１は、上側表面１８０６及び反対側の下側表面１８０８を備える。さらにアウトソール７０１は、チャンネル１８１４を備える。一例示的側面において、ミッドソール下側表面１８０４は、上側表面１８０６と結合し全体として靴底を形成する。例示的な寸法を図示している。例えば、アウトソール上側及び下側表面１８０８及び１８０６間の長さは各４.０ミリメールである。アウトソールウェビングの厚さは、１.０ミリメートルである。加えて、ウェビングからトレッド凸部分までの長さは３.０ミリメートルである。しかしながら、一又は複数の部分の寸法は図示されたもの以外の多岐にわたってよいと考えられる。
【００５９】
図１９は、本発明のいくつかの側面に係る、靴底６００のカットラインＡ−Ａに沿う、図１７に示した、注目領域１９を示した図である。特にミッドソール６０１及びアウトソール７０１が図示されている。例示的な寸法を図示している。例えば、３.０ミリメートルの下側サイプの深さが図示されている。同様に３.０ミリメートルの上側サイプの深さも図示されている。最後に後方から下側までのミッドソールの寸法が６．０ミリメートルであることが図示されている。しかしながら、一又は複数の部分の寸法は図示されたもの以外の多岐にわたってよいと考えられる。
【００６０】
均一なパターンのサイピング及びチャンネルが、図６から１９において図示されているが、多様性を持たせることも可能であると考える。例えば、伸縮性に勾配があることが所望される場合、サイピング及び／又はチャンネルのサイプの大きさ、形状、相対位置及び相対方向を所望の度合いの伸縮性及び応答性を達成するよう合わせることが可能である。例えば、区域ごとにサイプ及び／又はチャンネルの切り込みに多様性を持たせることで、他の区域に関連するミッドソール、アウトソール及び／又はストローベルの機械的特性に作用させ、第一区域の伸縮性を抑制するよう適用することが可能である。
【００６１】
図２０は、本発明のいくつかの側面に係る、可動素子を含む履物２０００の構造を示した図である。履物（以下、「靴」とする）２０００は、ソール２００１、可動上部２００２、静的上部２００４を備える。
【００６２】
靴底２００１は、図６から１９にて前述した靴底６００のようなミッドソール及びアウトソールを備える。可動上部２００２は、ナイロン系の材料のような高い伸張力を有する糸（スレッド）を備える。高い伸張力を有する糸の一例として、糸２００６が挙げられる。糸２００６は、着用者の足が着用時の位置にある際に靴紐の仕組み（糸２００６が延在する周囲の靴紐はとめ２００８）周囲にかかる負荷を移行させることで、可動上部２００２にサポート及び構成を提供するのに効果的である。結果的に可動上部２００２が、同様に柔軟性、伸縮性及び適応性の高い靴底２００１に組み込まれると、靴２０００は、足及び靴の動作に対し、可動反応を提供することが可能であると考えられる。
【００６３】
糸２００６は、アッパー（上部）内に縫製用機械及び／又は刺繍用等の機械を使用して組み込まれる。さらに糸２００６は、靴２０００に組み込まれ、第一糸（例：ひと巻きの糸）が第一直径を有し、第二糸が（例：糸巻き糸）が第二直径を有すると考えられる。一例示的側面から第一糸は、第二糸の直径よりもより大きな直径を有し、より高い伸張力を提供する。アッパーに糸２００６を組み込むために必要な２つの糸の内１つの糸に異なる直径（又は材料、ねじれ、張力等その他の特徴）を利用することで、重量を軽減しつつ靴２０００により高いレベルの構造上のサポートを提供することが可能である。
【００６４】
さらに柔軟性を有する靴下のような裏地を靴２０００に組み込んでもよいと考えられる。例えば裏地２０１０は、靴２０００の内側の空洞内に含まれており、（本実施例における）ストローベルの縫い目より踝の開口部に向かって上側寄りに延在するよう図示されている。裏地２０１０は、伸縮性の材料間に格子状の構造を有するフォームのような材料で形成される。裏地２０１０の薄板状の構造は、靴２０００の柔軟性及び可動特性を保ちつつ、サポート性及び加圧力を有する結果をもたらす。
【００６５】
図示されていないが、一例示的側面においてストローベルボードは、靴２０００の中敷にかけて延在し、アッパーの部分を結合力のある構造に形成することを可能にする。多方向伸縮材料がストローベルボードに組み込まれるため、さらに柔軟性及び適応性の高い靴を容易に作成することが可能となると考えられる。さらにストローベル材料は、アッパーにつま先から踵方向へ傾きながら組み込まれる。言い換えるとストローベルボードの縦糸及び／又は横糸は、ストローベルが組み込まれる、靴のつま先先端部から踵部の下端部にかけて延在する軸に対して約４５度の角度を有する。ストローベル技術を適用するが、どのような製造技術でも実施することが可能であり、ストローベルボードを全て一括に取り除くことも可能である。
【００６６】
一実施例において、ストローベル材料をミッドソールの上側表面に結合する。柔軟性のある接着剤を適用することでソールからストローベル及び連結するアッパーへの柔軟性及び動きの伝達が可能となると考えられる。そのため、特徴の組み合わせは、変化する環境、地形及び体の構造に反応し、柔軟性が高い、可動性を有する靴に組み込まれると考えられる。
【００６７】
本発明は、特定の実施形態に関連して述べられているが、全方面を示すためであって制限を目的としたものではない。当業者によって明らかになるであろう代替の実施形態は、請求項の内容の範囲から外れるものではない。多くの代替の実施形態は存在するが、本発明の特性から本明細書には含んでいない。
【００６８】
本内容は、構造上の特徴、方法論に基づいた行為を特定する用語が使用されているが、請求項にて定義した本内容は、必ずしも前述の特定の特徴又は行為に制限するものではない。むしろ、前述の特定の特徴又は行為は、請求項の内容を適用する際の例示的形式として述べられている。
【００６９】
［請求項１］
ミッドソールを有する履物底部であって、前記ミッドソールが、
第一の複数の実質的に平行なサイプと第二の複数の実質的に平行なサイプとを含む上側表面であって、前記第一の複数のサイプが実質的に前記第二の複数のサイプに対して垂直であることを特徴とする上側表面と、
第三の複数の実質的に平行なサイプと第四の複数の実質的に平行なサイプとを含む下側表面であって、前記第三の複数のサイプが前記第四の複数のサイプに対して実質的に垂直であることを特徴とする下側表面、
とを備える履物底部。
［請求項２］
前記第一の複数のサイプが前記第三の複数のサイプに対して実質的に平行である、請求項１に記載の履物底部。
［請求項３］
前記第一の複数のサイプが前記第三の複数のサイプからオフセットしており、前記オフセットは前記第一の複数のサイプに対して垂直方向にある、請求項２に記載の履物底部。
［請求項４］
前記オフセットが第一のサイプと前記第一の複数のサイプに連続するサイプ間隔の半分に等しい、請求項３に記載の履物底部。
［請求項５］
前記第一の複数のサイプと前記第二の複数のサイプが、フットサポート領域にて前記上側表面に組み込まれる、請求項１に記載の履物底部。 
［請求項６］
前記第一の複数のサイプと前記第二の複数のサイプが、前記ミッドソールの周囲までは延在しない、請求項１に記載の履物底部。
［請求項７］
前記第三の複数のサイプと前記第四の複数のサイプが、フットサポート領域にて前記下側表面に組み込まれる、請求項１に記載の履物底部。
［請求項８］
前記第三の複数のサイプと前記第四の複数のサイプが、前記ミッドソールの周囲までは延在しない、請求項１に記載の履物底部。
［請求項９］
アウトソールをさらに含み、前記アウトソールが、第一の複数のチャンネル及び第二の複数のチャンネルを含む、請求項１に記載の履物底部。
［請求項１０］
前記第一の複数のチャンネルが、前記第一の複数のサイプに対して実質的に平行であり、前記第二の複数のチャンネルが、前記第二の複数のサイプに対して実質的に平行である、請求項９に記載の履物底部。
［請求項１１］
前記第一の複数のチャンネルが、前記第三の複数のサイプに対して実質的に平行であり、前記第二の複数のチャンネルが、前記第四の複数のサイプに対して実質的に平行である、請求項９に記載の履物底部。
［請求項１２］
前記第一の複数のチャンネルのうちの１つが、前記第三の複数のサイプの１つと実質的に並列し、前記第二の複数のチャンネルのうちの１つが、実質的に前記第四の複数のサイプの１つと並列する、請求項１１に記載の履物底部。
［請求項１３］
前記第一の複数のチャンネルが第一のチャンネル、第二のチャンネル及び第三のチャンネルを含み、前記第一のチャンネルと前記第三のチャンネルとの間の間隔が、第一のサイプと前記第三の複数のサイプに連続するサイプとの間の間隔とほぼ同等である、請求項１１に記載の履物底部。
［請求項１４］
バンドをさらに含み、前記バンドが、前記上側表面に隣接する前記ミッドソールと結合する、請求項９に記載の履物底部。
［請求項１５］
前記第一の複数のサイプが前記上側表面から前記下側表面へ向かって１ミリメートルから５ミリメートル延びる、請求項１４に記載の履物底部。
［請求項１６］
前記アウトソールのトレッドが、前記アウトソールの上側表面からトレッドの先端部へ向かって２ミリメートルから６ミリメートル延びる、請求項１４に記載の履物底部。
［請求項１７］
ミッドソール及びアウトソールを有する履物底部であって、前記ミッドソールが、
第一の複数の実質的に平行なサイプと第二の複数の実質的に平行なサイプとを含む上側表面であって、前記第一の複数のサイプが実質的に前記第二の複数のサイプに対して垂直であることを特徴とする上側表面と、
第三の複数の実質的に平行なサイプと第四の複数の実質的に平行なサイプと、前記第三の複数のサイプが前記第四の複数のサイプに対して実質的に垂直であることを特徴とする下側表面、とを含み、
前記アウトソールが、上側表面と、ウェビング表面から延びる複数のトレッドとを含む下側表面であって、前記複数のトレッドがウェビング表面にて少なくとも１つのチャンネルを形成することを特徴とする下側表面を含み、
前記ミッドソールの下側表面が前記アウトソールの上側表面と結合することを特徴とする、履物底部。
［請求項１８］
前記第一の複数のサイプと前記第三の複数のサイプが実質的に平行であり、前記第二の複数のサイプと前記第四の複数のサイプが実質的に平行であり、さらに少なくとも１つのチャンネルが前記第三の複数のサイプと実質的に平行である、請求項１７に記載の履物底部。
［請求項１９］
前記第一の複数のサイプが前記第三の複数のサイプからオフセットしており、
前記第一の複数のサイプの延在方向に対して垂直方向に第一間隔があり、前記第一間隔は、前記第一の複数のサイプの２つの連続するサイプ間隔の半分に等しい、請求項１８に記載の履物底部。
［請求項２０］
ミッドソール及びアウトソールを有する履物底部であって、前記ミッドソールが、
第一の複数の実質的に平行なサイプと第二の複数の実質的に平行なサイプとを含む上側表面であって、前記第一の複数のサイプが実質的に前記第二の複数のサイプに対して垂直であることを特徴とする上側表面と、
第三の複数の実質的に平行なサイプと第四の複数の実質的に平行なサイプとを含む下側表面であって、前記第三の複数のサイプが前記第四の複数のサイプに対して実質的に垂直であることを特徴とする下側表面、とを含み、
前記アウトソールが、上側表面と、ウェビング表面から延びる複数のトレッドを含む下側表面であって、前記複数のトレッドがウェビング表面にて少なくとも１つのチャンネルを形成することを特徴とする下側表面を含み、
前記ミッドソールの下側表面が前記アウトソールの上側表面と結合することを特徴とし、
前記第一の複数のサイプと前記第三の複数のサイプが実質的に平行であり、
前記第二の複数のサイプと前記第四の複数のサイプが実質的に平行であり、
少なくとも１つのチャンネルが前記第三の複数のサイプと平行であり、
前記第一の複数のサイプが前記第三の複数のサイプから前記第一の複数のサイプの延在方向に対して垂直方向にオフセットしていることを特徴とする、履物底部。
【図１】
2018118082.tif 000003
【図２】
2018118082.tif 000004
【図３】
2018118082.tif 000005
【図４】
2018118082.tif 000006
【図５Ａ】
2018118082.tif 000007
【図５Ｂ】
2018118082.tif 000008
【図６】
2018118082.tif 000009
【図７】
2018118082.tif 000010
【図８】
2018118082.tif 000011
【図９】
2018118082.tif 000012
【図１０】
2018118082.tif 000013
【図１１】
2018118082.tif 000014
【図１２】
2018118082.tif 000015
【図１３】
2018118082.tif 000016
【図１４】
2018118082.tif 000017
【図１５】
2018118082.tif 000018
【図１６】
2018118082.tif 000019
【図１７】
2018118082.tif 000020
【図１８】
2018118082.tif 000021
【図１９】
2018118082.tif 000022
【図２０】
2018118082.tif 000023
【外国語明細書】
2018118082000001.pdf